【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
外部装置から印刷ジョブを受信する受信手段と、
前記印刷ジョブに応じた印刷データを生成し像形成部に供給する画像処理手段と、
前記画像処理手段が生成する印刷データのビデオカウント値を主走査方向あるいは副走査方向にカウントする計数手段と、
固定画像であるマスタデータと可変画像であるバリアブルデータとから構成される印刷ジョブに対する処理が指示された場合、前記計数手段から前記マスタデータのビデオカウント値を取得する取得手段と、
前記取得手段によって取得した前記ビデオカウント値と予め決められた閾値とを比較する比較手段と、
前記比較の結果、前記ビデオカウント値が前記閾値を超える場合、予め決められた印刷枚数ごとに前記印刷データの出力方向を回転するように、前記画像処理手段を制御する制御手段と、
を有することを特徴とする画像処理装置。
【請求項２】
前記比較手段において前記ビデオカウント値が前記閾値以下の場合、前記制御手段は、前記マスタデータと前記バリアブルデータの合成結果に対応するCMYKデータを前記像形成部へ供給するように前記画像処理手段を制御することを特徴とする請求項１に記載された画像処理装置。
【請求項３】
さらに、前記制御手段は、前記マスタデータと前記バリアブルデータの合成結果に対応するCMYKデータを前記像形成部へ供給するように前記画像処理手段を制御することを特徴とする請求項１または請求項２に記載された画像処理装置。
【請求項４】
前記取得手段が前記ビデオカウント値を取得した後、前記計数手段はカウントした前記ビデオカウント値をクリアすることを特徴とする請求項１乃至請求項３何れか一項に記載された画像処理装置。
【請求項５】
前記取得手段は、前記マスタデータのビデオカウント値が記憶部に保持されている場合は該記憶部から前記ビデオカウント値を取得し、前記記憶部に保持されていない場合は前記計数手段から取得したビデオカウント値を前記記憶部に記憶することを特徴とする請求項１乃至請求項４何れか一項に記載された画像処理装置。
【請求項６】
外部装置から印刷ジョブを受信する受信手段と、
前記印刷ジョブに応じた印刷データを生成し像形成部に供給する画像処理手段と、
前記画像処理手段が生成する印刷データのビデオカウント値を主走査方向あるいは副走査方向にカウントし、所定枚数のビデオカウント値を累積する計数手段と、
前記計数手段からビデオカウント値を取得し、前記ビデオカウント値が閾値を超える場合、予め決められた印刷枚数ごとに前記印刷データの出力方向を回転するように、前記画像処理手段を制御する制御手段と、
を有することを特徴とする画像処理装置。
【請求項７】
前記ビデオカウント値が前記閾値以下の場合、前記制御手段は、前記印刷データに対応するCMYKデータを前記像形成部へ供給するように前記画像処理手段を制御することを特徴とする請求項６に記載された画像処理装置。
【請求項８】
前記制御手段において前記印刷データの回転指示がされた後、前記計数手段はカウントした前記ビデオカウント値をクリアすることを特徴とする請求項６または請求項７に記載された画像処理装置。
【請求項９】
外部装置から印刷ジョブを受信する受信手段と、
前記印刷ジョブに応じた印刷データを生成し像形成部に供給する画像処理手段と、
所定頁数以上の画像データの印刷ジョブを受信した場合、各頁の印刷データのビデオカウント値を主走査方向あるいは副走査方向に計数し、前記ビデオカウント値と第１の閾値とを比較する比較手段と、
前記比較手段の比較結果に基づき、所定印刷枚数ごとに、または当該印刷ジョブが終了した後に前記印刷データの出力方向を回転するように前記画像処理手段を制御する制御手段と、
を有することを特徴とする画像処理装置。
【請求項１０】
前記制御手段は、前記ビデオカウント値が前記第１の閾値を超える場合、前記第１の閾値を超える頁のビデオカウント値を累積し、前記累積されたカウント値が第２の閾値よりも大きい場合、所定印刷枚数ごとに、または当該印刷ジョブが終了した後に画像の出力方向を回転するように前記画像処理手段を制御することを特徴とする請求項９に記載された画像処理装置。
【請求項１１】
前記制御手段は、ソート、ステープルソート、製本の指示がある印刷ジョブの場合、一印刷部数ごとの画像の出力方向の回転を前記画像処理手段に指示することを特徴とする請求項１乃至請求項１０何れか一項に記載された画像処理装置。
【請求項１２】
前記制御手段は、前記ステープルソートの指示がある印刷ジョブの場合、前記画像の出力方向の回転とフェイスダウン・アップの切り替えの組み合わせを前記画像処理手段に指示することを特徴とする請求項１１に記載された画像処理装置。
【請求項１３】
前記制御手段は、前記各頁のビデオカウント値の計数結果から、前記像形成部における副走査方向の画像形成開始領域にビデオカウント値が集中する領域の存在を検出し、かつ、当該領域のビデオカウント値が第２の閾値を超える場合、当該印刷ジョブの全頁について画像の出力方向を180度回転するように前記画像処理手段を制御することを特徴とする請求項９に記載された画像処理装置。
【請求項１４】
印刷ジョブを入力する入力手段と、
前記入力された印刷ジョブに応じた印刷データを生成し、像形成部に供給する画像処理手段と、
前記印刷ジョブのビデオカウント値を主走査方向あるいは副走査方向にカウントする計数手段と、
前記計数手段からビデオカウント値を取得し、前記ビデオカウント値と予め決められた閾値とを比較する比較手段と、
前記比較手段の比較結果に基づき、前記印刷データの出力方向を回転するように前記画像処理手段を制御する制御手段と、
を有することを特徴とする画像処理装置。
【請求項１５】
前記制御手段は、前記比較手段において前記ビデオカウント値が前記閾値を超える場合、予め決められた印刷枚数ごとに、または前記印刷ジョブが終了した後に前記印刷データの出力方向を回転するように前記画像処理手段を制御することを特徴とする請求項１４に記載された画像処理装置。
【請求項１６】
印刷ジョブを入力する工程と、
前記入力された印刷ジョブに応じた印刷データを生成し、像形成部に供給する工程と、
前記印刷データのビデオカウント値を主走査方向あるいは副走査方向にカウントする工程と、
固定画像であるマスタデータと可変画像であるバリアブルデータとから構成される印刷ジョブに対する処理が指示された場合、前記ビデオカウント値を取得し、前記ビデオカウント値と予め決められた閾値とを比較する工程と、
前記比較の結果、前記ビデオカウント値が前記閾値を超える場合、予め決められた印刷枚数ごとに前記印刷データの出力方向を回転するように制御する工程と、
を有することを特徴とする画像処理方法。
【請求項１７】
印刷ジョブを入力する工程と、
前記入力された印刷ジョブに応じた印刷データを生成し、像形成部に供給する工程と、
前記印刷データのビデオカウント値を主走査方向あるいは副走査方向にカウントし、所定枚数のビデオカウント値を累積する工程と、
前記ビデオカウント値を取得し、前記ビデオカウント値と予め決められた閾値とを比較する工程と、
前記比較の結果、前記ビデオカウント値が前記閾値を超える場合、予め決められた印刷枚数ごとに前記印刷データの出力方向を回転するように制御する工程と、
を有することを特徴とする画像処理方法。
【請求項１８】
印刷ジョブを入力する工程と、
前記入力された印刷ジョブに応じた印刷データを生成し、像形成部に供給する工程と、
所定頁数以上の画像データの印刷ジョブを受信した場合、前記印刷データの各頁のビデオカウント値を主走査方向あるいは副走査方向にカウントし、前記ビデオカウント値と第１の閾値とを比較する工程と、
前記比較の結果に基づき、所定印刷枚数ごとに、または当該印刷ジョブが終了した後に、前記印刷データの出力方向を回転するように制御する工程と、
を有することを特徴とする画像処理方法。
【請求項１９】
印刷ジョブを入力する工程と、
前記入力された印刷ジョブに応じた印刷データを生成し、像形成部に供給する工程と、
前記印刷ジョブのビデオカウント値を主走査方向あるいは副走査方向にカウントする工程と、
前記ビデオカウント値を取得し、前記ビデオカウント値と予め決められた閾値とを比較する工程と、
前記比較の結果に基づき、前記印刷データの出力方向を回転するように制御する工程と、
を有することを特徴とする画像処理方法。
【請求項２０】
印刷ジョブを入力する入力手段と、
前記入力された印刷ジョブに応じた印刷データを生成し、像形成部に供給する画像処理手段と、
前記印刷ジョブののり量分布の偏りを検出する検出手段と、
前記検出の結果に基づき、前記印刷データの出力方向を回転するように前記画像処理手段を制御する制御手段と、
を有することを特徴とする画像処理装置。
【請求項２１】
印刷ジョブを入力する入力工程と、
前記入力された印刷ジョブに応じた印刷データを生成し、像形成部に供給する画像処理工程と、
前記印刷ジョブののり量分布の偏りを検出する検出工程と、
前記検出の結果に基づき、前記印刷データの出力方向を回転するように前記画像処理工程における該印刷データの生成を制御する制御工程と、
を有することを特徴とする画像処理方法。
【請求項２２】
請求項１６乃至１９および２１の何れか一項に記載された画像処理方法をコンピュータに実行させるためのコンピュータプログラム。
【請求項２３】
請求項２２に記載されたコンピュータプログラムが格納されたコンピュータ可読の記録媒体。